(57)【要約】【課題】観察画像の輝度の偏りを抑えつつ、モアレの発生を効果的に抑制できる導電性パターン付き表示装置を提供する。【解決手段】導電性パターン付き表示装置は、複数の画素Ｐを有する表示装置と、複数の画素Ｐの少なくとも一部を覆うように配置される導電性パターン７０を有する導電性パターン基板と、を備える。複数の画素Ｐの各々は、複数のサブピクセルＲＰ、ＧＰ、ＢＰを含む。導電性パターン７０は、複数の導電性細線７１を含む。導電性パターン７０によって覆われる複数のサブピクセルＲＰ、ＧＰ、ＢＰのうち９５％以上のサブピクセルが、一方向へ配向された延在方向を持つ１本以上の導電性細線７１と重なるように設けられる。【選択図】図９
2019008539.tif 000002
【特許請求の範囲】
【請求項１】
複数の画素を有する表示装置と、
前記複数の画素の少なくとも一部を覆うように配置される導電性パターンを有する導電性パターン基板と、を備える導電性パターン付き表示装置であって、
前記複数の画素の各々は、複数のサブピクセルを含み、
前記導電性パターンは、複数の導電性細線を含み、
前記導電性パターンによって覆われる前記複数のサブピクセルのうち９５％以上のサブピクセルが、一方向へ配向された延在方向を持つ１本以上の前記導電性細線と重なるように設けられる導電性パターン付き表示装置。
【請求項２】
前記導電性パターンによって覆われる前記複数のサブピクセルのうち９５％以上のサブピクセルが、一方向へ配向された延在方向を持つ３本の前記導電性細線と重なるように設けられる請求項１に記載の導電性パターン付き表示装置。
【請求項３】
前記導電性パターンによって覆われる前記複数のサブピクセルのうち９５％以上のサブピクセルが、一方向へ配向された延在方向を持つ３本以下の前記導電性細線と重なるように設けられる請求項１に記載の導電性パターン付き表示装置。
【請求項４】
前記複数の導電性細線は、連続的に配置される菱形状パターンを形成する請求項１〜３のいずれか一項に記載の導電性パターン付き表示装置。
【請求項５】
前記複数の導電性細線の各々は、３μｍ以上１０μｍ以下の線幅を有する請求項１〜４のいずれか一項に記載の導電性パターン付き表示装置。
【請求項６】
前記複数のサブピクセルの各々は、第１電極方向に関して１．２ミリメートル以下のサイズを有し、前記第１電極方向と垂直を成す第２電極方向に関して０．４ミリメートル以下のサイズを有する請求項１〜５のいずれか一項に記載の導電性パターン付き表示装置。
【発明の詳細な説明】
【技術分野】
【０００１】
本発明は、導電性を有するパターンが表示装置に設けられた導電性パターン付き表示装置に関する。
【背景技術】
【０００２】
表示装置に重ね合わせられるように設けられるタッチパネルとして、様々な方式が提案されている。例えば近年注目を浴びている投影型の静電容量式のタッチパネルとして、ＩＴＯ（Ｉｎｄｉｕｍ  Ｔｉｎ  Ｏｘｉｄｅ：酸化インジウムスズ）を利用したタッチパネルや、金属線から成る網目状メッシュパターンを利用したタッチパネルが広く知られている。
【０００３】
特許文献１は、ＩＴＯなどによって構成される透明導電体を備えるタッチパネルを開示する。一方、特許文献２は、高導電率の金属材料の細導線によって形成される導電性メッシュを検出電極として用いるタッチパネルを開示する。
【先行技術文献】
【特許文献】
【０００４】
【特許文献１】特許第４８２６９７０号公報
【特許文献２】特許第５２２４２０３号公報
【発明の概要】
【発明が解決しようとする課題】
【０００５】
特許文献１が開示するタッチパネルのように電極層としてＩＴＯなどの透明金属酸化物を用いるタッチパネルでは、電極層の抵抗が大きく、また透明金属酸化物が脆性材料であるため折り曲げに弱いという課題がある。そのようなタッチパネルは、大型化に限界があるとともに、衝撃や変形によって電気的な断線が生じやすい。
【０００６】
一方、特許文献２が開示するタッチパネルのように金属メッシュ構造の導電性パターンを電極層として用いるタッチパネルでは、電極層の抵抗が小さく、また電極層が延性材料によって構成されるため、大型化が容易であり、衝撃や変形による電気的な断線が生じにくい。
【０００７】
しかしながら、メッシュ構造の導電性パターンを持つそのようなタッチパネル基板や電磁波シールド基板を、多数の画素を具備する表示装置に取り付けて使用すると、導電性パターンの周期と画素の周期とのずれに起因するモアレと呼ばれる濃淡ムラが発生して視認不良がもたらされる懸念がある。
【０００８】
またメッシュ構造の導電性パターンを構成する個々の導電細線は、一般に不透明部材によって構成され、光を遮るように働く。そのため各サブピクセル（すなわち各色の発光画素）に重なる導電細線の面積的な占有率（すなわち遮蔽率）がサブピクセル間で過度に偏っていると、導電性パターンを介して観察される画像の輝度に偏りが生じ、観察者が観察画像に不自然さを感じてしまう懸念がある。
【０００９】
本発明は上述の事情に鑑みてなされたものであり、観察画像における輝度の偏りを抑えつつ、モアレの発生を効果的に抑制できる導電性パターン付き表示装置を提供することを目的とする。
【課題を解決するための手段】
【００１０】
本発明の一態様は、複数の画素を有する表示装置と、複数の画素の少なくとも一部を覆うように配置される導電性パターンを有する導電性パターン基板と、を備える導電性パターン付き表示装置であって、複数の画素の各々は、複数のサブピクセルを含み、導電性パターンは、複数の導電性細線を含み、導電性パターンによって覆われる複数のサブピクセルのうち９５％以上のサブピクセルが、一方向へ配向された延在方向を持つ１本以上の導電性細線と重なるように設けられる導電性パターン付き表示装置に関する。
【００１１】
導電性パターンによって覆われる複数のサブピクセルのうち９５％以上のサブピクセルが、一方向へ配向された延在方向を持つ３本の導電性細線と重なるように設けられてもよい。
【００１２】
導電性パターンによって覆われる複数のサブピクセルのうち９５％以上のサブピクセルが、一方向へ配向された延在方向を持つ３本以下の導電性細線と重なるように設けられてもよい。
【００１３】
複数の導電性細線は、連続的に配置される菱形状パターンを形成してもよい。
【００１４】
複数の導電性細線の各々は、３μｍ以上１０μｍ以下の線幅を有してもよい。
【００１５】
複数のサブピクセルの各々は、第１電極方向に関して１．２ミリメートル以下のサイズを有し、第１電極方向と垂直を成す第２電極方向に関して０．４ミリメートル以下のサイズを有してもよい。
【発明の効果】
【００１６】
本発明によれば、導電性パターンによって覆われる複数のサブピクセルのうち９５％以上のサブピクセルが「一方向へ配向された延在方向を持つ１本以上の導電性細線」と重なる。これにより導電性細線による遮光の程度がサブピクセル間で均一化され、観察画像における輝度の偏りを抑えつつ、モアレの発生を効果的に抑制することができる。
【図面の簡単な説明】
【００１７】
【図１】図１は、タッチ位置検出機能付き表示装置を構成するタッチパネル装置及び表示装置の外観を概略的に示す斜視図である。
【図２】図２は、タッチパネル装置に含まれるタッチパネル基板を示す平面図である。
【図３Ａ】図３Ａは、タッチパネル基板の層構成の一例を示す図である。
【図３Ｂ】図３Ｂは、タッチパネル基板の層構成の他の例を示す図である。
【図４Ａ】図４Ａは、タッチパネル基板の層構成の他の例を示す図である。
【図４Ｂ】図４Ｂは、タッチパネル基板の層構成の他の例を示す図である。
【図４Ｃ】図４Ｃは、タッチパネル基板の層構成の他の例を示す図である。
【図５】図５は、第１電極及び第１ダミー部を拡大して示す平面図である。
【図６】図６は、第２電極及び第２ダミー部を拡大して示す平面図である。
【図７】図７は、第１パターン導電体及び第２パターン導電体の拡大平面図である。
【図８】図８は、表示装置の画素配列の典型例を示す平面図である。
【図９】図９は、１つの画素及び導電性パターンの配置関係例の概略を説明するための拡大平面図である。
【図１０】図１０は、１つのサブピクセル上に延在する１本の導電性細線の一例を示す平面図である。
【図１１】図１１は、１つのサブピクセル上に延在する１本の導電性細線の他の例を示す平面図である。
【図１２】図１２は、分断部によって分断された導電性細線がサブピクセル上に延在する状態を示す平面図である。
【図１３】図１３は、１つのサブピクセル上に延在する導電性細線の他の配置例を示す平面図である。
【図１４】図１４は、１つのサブピクセル上に延在する導電性細線の他の配置例を示す平面図である。
【発明を実施するための形態】
【００１８】
本発明の実施形態について図面を参照して説明する。図面中には、図示と理解のしやすさの便宜上、縮尺及び寸法比等を、実物のそれらから適宜変更又は誇張されている部分がある。また本明細書において、「基板」、「基材」及び「フィルム」など用語は、呼称の違いのみに基づいて、互いから区別されるものではない。例えば、「基板」や「基材」は、シートやフィルムと呼ばれ得るような部材も含む概念である。さらに、本明細書において用いる、形状、幾何学的条件及びそれらの程度を特定する用語や値等（例えば「平行」や「直交」等の用語や長さや角度の値等）については、厳密な意味に縛られることなく、同様の機能を期待し得る程度の範囲を含めて解釈することとする。
【００１９】
以下では、導電性パターンを有する導電性パターン基板が、外部導体の接近を検出するタッチパネル基板として機能する例について説明する。具体的には、導電性パターン基板によって構成されるタッチパネル装置と表示装置とが組み合わされて構成されるタッチ位置検出機能付き表示装置を、導電性パターン付き表示装置の一例として説明する。
【００２０】
図１は、タッチ位置検出機能付き表示装置１０を構成するタッチパネル装置１５及び表示装置１２の外観を概略的に示す斜視図である。図２は、タッチパネル装置１５に含まれるタッチパネル基板２０を示す平面図である。図３Ａ〜図３Ｂ及び図４Ａ〜図４Ｃの各々は、タッチパネル基板２０の層構成を例示する図である。
【００２１】
図１に示すように、タッチ位置検出機能付き表示装置１０は、液晶ディスプレイや有機ＥＬディスプレイなどによって構成される表示装置１２と、表示装置１２の表示面１２ａを覆うように配置されるタッチパネル装置１５と、を備える。
【００２２】
表示装置１２は、画像を表示することができる表示領域Ａ１と、表示領域Ａ１を取り囲むようにして表示領域Ａ１の外側に配置された非表示領域（「額縁領域」とも呼ばれる）Ａ２と、を含む。タッチパネル装置１５は、表示装置１２の表示面１２ａに対面するように配置されるタッチパネル基板２０（図２参照）と、タッチパネル基板２０に接続された図示しない回路と、を含む。このタッチパネル装置１５は、表示装置１２の表示面１２ａに、例えば接着層（図示せず）を介して接着される。
【００２３】
ここでは、タッチパネル装置１５のタッチパネル基板２０が、投影型の静電容量結合方式のタッチパネル装置として構成される例について説明する。「容量結合」方式は、タッチパネルの技術分野において「静電容量」方式や「静電容量結合」方式等とも呼ばれており、本明細書では、これらの「静電容量」方式や「静電容量結合」方式等と同義の用語として扱われる。典型的な静電容量結合方式のタッチパネル装置は、透光性且つ導電性のパターンを有する。外部導体（典型的には人間の指）がタッチパネル装置に接近すると、外部導体とタッチパネル装置の導電性パターンとの間でコンデンサ（すなわち静電容量）が形成される。このコンデンサの形成に伴う電気的な状態の変化に基づき、タッチパネル装置上において外部導体が接近している位置又は接触している位置の位置座標が特定される。なお本実施形態のタッチ位置検出機能付き表示装置１０において採用されている後述の技術的思想は、自己容量方式タッチパネル装置及び相互容量方式のタッチパネル装置のいずれに対しても応用可能である。
【００２４】
タッチパネル基板２０は、図３Ａ〜図３Ｂ及び図４Ａ〜図４Ｃに示すように、位置検出に利用されるパターン導電体３０、５０が設けられるタッチパネルセンサ２１、２２、２３と、タッチパネルセンサ２１、２２、２３よりも観察者側に配置される透明カバー２４と、を含む。透明カバー２４は、接合層（図示せず）等を介して最も観察者側に配置されるタッチパネルセンサ（図３Ａ〜図３Ｂの各々に示す例では第１タッチパネルセンサ２１、図４Ａ〜図４Ｃの各々に示す例ではタッチパネルセンサ２３）に接合され、タッチパネル装置１５によって外部導体の接触位置又は接近位置を検出する際のタッチ面が形成される。
【００２５】
投影型容量結合方式のタッチパネル基板２０は、例えば図３Ａ〜図３Ｂの各々に示すように、２つのタッチパネルセンサ（すなわち第１タッチパネルセンサ２１及び第２タッチパネルセンサ２２）を含んでいてもよい。この場合、それぞれのタッチパネルセンサがパターン導電体（すなわち第１パターン導電体３０及び第２パターン導電体５０）を有する。すなわち図３Ａ〜図３Ｂの各々に示すタッチパネル基板２０は、第１基材２６及び当該第１基材２６上に設けられる第１パターン導電体３０を有する第１タッチパネルセンサ２１と、第２基材２７及び当該第２基材２７上に設けられる第２パターン導電体５０を有する第２タッチパネルセンサ２２と、を含む。なお第１パターン導電体３０は、第１基材２６のうち透明カバー２４側の面上に設けられてもよいし（図３Ａ参照）、第１基材２６のうち表示装置１２側（すなわち第２タッチパネルセンサ２２側）の面上に設けられてもよい（図３Ｂ参照）。同様に第２パターン導電体５０は、第２基材２７のうち透明カバー２４側（すなわち第１タッチパネルセンサ２１側）の面上に設けられてもよいし（図３Ａ参照）、第２基材２７のうち表示装置１２側の面上に設けられてもよい（図３Ｂ参照）。
【００２６】
別の例として、投影型容量結合方式のタッチパネル基板２０は、図４Ａ〜図４Ｃの各々に示すように、単一のタッチパネルセンサ２３のみを有していてもよい。例えば図４Ａに示すタッチパネルセンサ２３は、基材２８と、基材２８の一方の側の面上に設けられる第１パターン導電体３０と、基材２８の他方の側の面上に設けられる第２パターン導電体５０と、を有する。一方、図４Ｂ〜図４Ｃに示すタッチパネルセンサ２３は、基材２８と、基材２８の一方の側の面上に設けられる第１パターン導電体３０及び第２パターン導電体５０と、を有する。この場合、第１パターン導電体３０及び第２パターン導電体５０は、基材２８のうち透明カバー２４側の面上に設けられてもよいし（図４Ｂ参照）、基材２８のうち表示装置１２側の面上に設けられてもよい（図４Ｃ参照）。
【００２７】
図３Ａ〜図３Ｂ及び図４Ａ〜図４Ｃの各々に示すようなタッチパネル基板２０において、基材２６、２７、２８は、パターン導電体３０、５０を支持する支持材として機能するとともに、誘電体としても機能する。なお表示装置１２からの画像を観察者がタッチパネル基板２０を介して観察できるように、タッチパネル基板２０に含まれる基材２６、２７、２８は、透明又は半透明となっている。一般に、基材２６、２７、２８は、可視光領域における光透過率が８０％以上であることが好ましく、８４％以上であることがより好ましい。基材２６、２７、２８の可視光透過率は、例えば、分光光度計（（株）島津製作所製「ＵＶ−３１００ＰＣ」、ＪＩＳＫ０１１５準拠品）を用いて３８０ｎｍ〜７８０ｎｍの波長域の光を測定した場合に得られる各波長における光透過率の平均値として特定可能である。
【００２８】
このような特性を有する基材２６、２７、２８は、例えば、誘電体として機能し得るガラスや樹脂フィルムによって構成可能である。基材２６、２７、２８を構成可能な樹脂フィルムとしては、光学部材の基材として使用されている種々の樹脂フィルムを好適に用いることができる。一例として、複屈折性を有さない光学等方性のフィルム、典型的には、トリアセチルセルロースに代表されるセルロースエステルからなるフィルムを、基材２６、２７、２８として用いることができる。他の例として、複屈折性を有する光学等方性のフィルムも、基材２６、２７、２８として用いることができる。例えば、安価で安定性に優れたポリエチレンテレフタレート（ＰＥＴ）等のポリエステルフィルムを、基材２６、２７、２８として用いることができる。ポリエステルフィルムは、吸湿性が低く、高温多湿の環境化においても変形等が生じ難い。なお後述の第１電極３１、第２電極５１、第１ダミー部３４及び第２ダミー部５４を適切に保持することができる限りにおいて、基材２６、２７、２８の具体的な構成が特に限られることはない。例えば、ＰＥＴ層などの表面に設けられたハードコート層がさらに基材２６、２７、２８に含まれていてもよい。本実施形態において、基材２６、２７、２８は、何らかの具体的な構造や材料を意味するものではなく、タッチパネル基板２０を構成する第１電極３１や第２電極５１などのパターンの下地となるものを意味するにすぎない。
【００２９】
このような基材２６、２７、２８によって支持される第１パターン導電体３０及び第２パターン導電体５０によって、図２に示す複数の第１電極３１及び複数の第２電極５１が形成される。第１電極３１及び第２電極５１は、基材２６、２７、２８の法線方向（すなわち第１電極方向Ｄ１及び第２電極方向Ｄ２の各々に垂直な方向）に関して相互に離間して配置され、各第１電極３１は第１電極方向Ｄ１に延在し、各第２電極５１は第２電極方向Ｄ２に延在する。図示の例では、第１電極方向Ｄ１及び第２電極方向Ｄ２は直交し、各第１電極３１と各第２電極５１とは相互に垂直を成す方向に延在する。なお図２においては図示を省略しているが、タッチパネル基板２０は、タッチパネル基板２０の一方の側において第１電極３１の間に設けられた複数の第１ダミー部３４（図５参照）と、タッチパネル基板２０の他方の側において第２電極５１の間に設けられた複数の第２ダミー部５４（図６参照）と、を更に備える。第１電極３１、第１ダミー部３４、第２電極５１及び第２ダミー部５４はいずれも、第１パターン導電体３０及び第２パターン導電体５０を形成する金属材料を含む導線（すなわち金属細線）によって構成されている。このように、第１電極３１及び第１ダミー部３４は一方側（観察者側）に設けられ、第２電極５１及び第２ダミー部５４は他方側（表示装置１２側）に設けられる。なお図２において、基材の一方側（観察者側）に設けられている構成要素が実線で表され、基材の他方側（表示装置１２側）に設けられている構成要素が点線で表されている。
【００３０】
第１電極３１は、図２に示すように、第１電極方向Ｄ１へ並べられた複数の第１膨出部３２と、隣接する２つの第１膨出部３２を接続するよう第１電極方向Ｄ１に延びる第１線状部３３と、を含む。第１膨出部３２は、第１電極方向Ｄ１と交差する第２電極方向Ｄ２に関する幅が、第１線状部３３の幅よりも大きい。また第２電極５１は、第２電極方向Ｄ２へ並べられた複数の第２膨出部５２と、隣接する２つの第２膨出部５２を接続するよう第２電極方向Ｄ２に延びる第２線状部５３と、を含む。第２膨出部５２は、第２電極方向Ｄ２と交差する第１電極方向Ｄ１に関する幅が、第２線状部５３の幅よりも大きい。
【００３１】
図２に示すように、タッチパネル基板２０は、タッチ位置を検出可能な領域に対応する矩形状のアクティブエリアＡａ１と、アクティブエリアＡａ１の周辺に位置する矩形枠状の非アクティブエリアＡａ２と、を含む。アクティブエリアＡａ１及び非アクティブエリアＡａ２はそれぞれ、表示装置１２の表示領域Ａ１及び非表示領域Ａ２に対応するように区画される。矩形状のアクティブエリアＡａ１の輪郭は、図１に示すように、第１電極方向Ｄ１に延びる長辺１６ａと、第２電極方向Ｄ２に延びる短辺１６ｂと、を含む。第１電極方向Ｄ１及び第２電極方向Ｄ２は、アクティブエリアＡａ１の輪郭を構成する長辺１６ａ及び短辺１６ｂに基づいて定められる。アクティブエリアＡａ１の輪郭が、表示装置１２において一般的に採用される矩形状である場合、長辺１６ａの延在方向と一致する第１電極方向Ｄ１と、短辺１６ｂの延在方向と一致する第２電極方向Ｄ２とが直交する。
【００３２】
上述の第１電極３１、第１ダミー部３４、第２電極５１及び第２ダミー部５４は、アクティブエリアＡａ１内に配置される。一方、非アクティブエリアＡａ２には、図２に示すように、それぞれの第１電極３１に電気的に接続される複数の第１配線部３８及び第１端子部３９と、それぞれの第２電極５１に電気的に接続される複数の第２配線部５８及び第２端子部５９とが、設けられる。第１配線部３８及び第１端子部３９は、例えば図３Ａ〜図３Ｂの各々に示す例では第１パターン導電体３０と同様にして第１基材２６上に設けられ、また図４Ａ〜図４Ｃの各々に示す例では第１パターン導電体３０と同様にして基材２８の面上に設けられる。また、第２配線部５８及び第２端子部５９は、例えば図３Ａ〜図３Ｂの各々に示す例では第２パターン導電体５０と同様にして第２基材２７上に設けられ、また図４Ａ〜図４Ｃの各々に示す例では第２パターン導電体５０と同様にして基材２８の面上に設けられる。なお図４Ａに示す例では、第１配線部３８及び第１端子部３９が第１パターン導電体３０と同様に基材２８の一方の面上に設けられ、第２配線部５８及び第２端子部５９が第２パターン導電体５０と同様に基材２８の他方の面上に設けられる。それに対し、図４Ｂ及び図４Ｃの各々に示す例では、第１配線部３８、第１端子部３９、第２配線部５８及び第２端子部５９が、第１パターン導電体３０及び第２パターン導電体５０と同様に基材２８の一方の面上に設けられる。第１端子部３９及び第２端子部５９は、基材２６、２７、２８の外縁近傍に配置され、ＦＰＣ（Ｆｌｅｘｉｂｌｅ  Ｐｒｉｎｔｅｄ  Ｃｉｒｃｕｉｔｓ）等の外部導電体と電気的に接続される。
【００３３】
信号を適切に伝達することができる限りにおいて、第１配線部３８及び第１端子部３９並びに第２配線部５８及び第２端子部５９の具体的な構成は特に限られることはない。例えば第１配線部３８及び第１端子部３９は、第１パターン導電体３０と同一の層構成で第１パターン導電体３０と同時に形成されてもよい。同様に、第２配線部５８及び第２端子部５９は、第２パターン導電体５０と同一の層構成で第２パターン導電体５０と同時に形成されてもよい。
【００３４】
次に、第１電極３１及び第１ダミー部３４を形成する第１パターン導電体３０について説明する。
【００３５】
図５は、第１電極３１及び第１ダミー部３４を拡大して示す平面図である。第１パターン導電体３０は、メッシュパターン（網目状パターン）で配列された第１線状導電体４０を有する。図５において符号Ｐ１は、第１方向Ｍ１に直交する第１配列方向ＭＡ１に沿った第１線状導電体４０の配列ピッチを表し、符号Ｐ２は、第２方向Ｍ２に直交する第２配列方向ＭＡ２に沿った第１線状導電体４０の配列ピッチを表す。符号θｘ１は第１開口領域４３が成す菱形の鋭角を示し、符号４４は第１開口領域４３が成す菱形の長対角線を示し、符号４５は第１開口領域４３が成す菱形の短対角線を示す。
【００３６】
第１線状導電体４０には、各第１電極３１の輪郭に対応するようにして、第１分断部３５が設けられている。したがって、第１電極３１と第１ダミー部３４との間の境界部の形状、すなわち第１電極３１の輪郭は、第１電極３１と第１ダミー部３４との間の第１分断部３５の配置に応じて画定される。図５では、第１電極３１の輪郭が、符号Ｂ１が付された一点鎖線によって示されている。アクティブエリアＡａ１内に設けられた複数の第１電極３１と複数の第１ダミー部３４とは、第１分断部３５によって、互いから分離されて絶縁されている。すなわち複数の第１電極３１及び複数の第１ダミー部３４は、アクティブエリアＡａ１の全域に広がる導電性細線である第１線状導電体４０を第１分断部３５により断線することによって区画される複数の区分にそれぞれ対応する。
【００３７】
図示された例において、メッシュパターンで配列された第１線状導電体４０は、多数の第１開口領域４３を画成する。すなわち図５に示すように、第１線状導電体４０は、２つの第１分岐点４２の間において延在する第１接続要素４１を多数含み、これらの第１接続要素４１によって菱形の各第１開口領域４３が画成される。
【００３８】
図５に示された例において、第１パターン導電体３０は、第１方向Ｍ１に延び、第１方向Ｍ１に交差する方向へ等間隔に規則的に並べられた第１線状導電体４０と、第１方向Ｍ１に交差する第２方向Ｍ２に延び、第２方向Ｍ２に交差する方向へ等間隔に規則的に並べられた第１線状導電体４０と、を含む。本実施形態の第１開口領域４３が鋭角を持つ菱形を成すことから、第１方向Ｍ１及び第２方向Ｍ２は、直交しておらず、互いに対して傾斜する。図５に示された例では、同一形状の第１開口領域４３が、互いに同一の向きを向くようにして配列されている。このように本実施形態の第１パターン導電体３０を成す第１線状導電体４０は、規則的に配列された菱形の第１開口領域４３を画成するメッシュパターンで配列されている。
【００３９】
第１パターン導電体３０によって形成される第１電極３１は、外部導体がタッチパネル基板２０に接触又は接近した際に生じる電磁的な変化又は静電容量の変化を検知するために設けられる。そのため第１電極３１を成す第１線状導電体４０には、電磁的な変化又は静電容量の変化に起因する電流を検知可能なレベルで流すことができる程度の導電性が求められる。このような導電性を有する第１線状導電体４０の構成材料としては、優れた導電性を有する金属材料が好ましく用いられる。例えば、金、銀、銅、白金、アルミニウム、クロム、モリブデン、ニッケル、チタン、パラジウム、インジウム、及びこれらの合金のうちの一以上を、第１線状導電体４０を構成する材料として用いることができる。
【００４０】
一方、これらの金属材料は、可視光に対して遮光性を有する。表示装置１２によって表示される画像を十分に視認可能とする観点からは、第１パターン導電体３０を成す第１線状導電体４０の線幅は、１０μｍ以下とすることが好ましく、より好ましくは７μｍ以下とすることができる。また表示装置１２によって表示される画像を十分に視認可能とする観点からは、第１パターン導電体３０の開口率は、８０％以上とすることが好ましく、より好ましくは９０％以上とすることができる。これらの設計によって、観察者が視認する画像に対して第１線状導電体４０が及ぼす影響を、無視可能な程度にまで低くすることも可能である。
【００４１】
次に、第２電極５１及び第２ダミー部５４を形成する第２パターン導電体５０について説明する。
【００４２】
図６は、第２電極５１及び第２ダミー部５４を拡大して示す平面図である。第２パターン導電体５０は、第１パターン導電体３０と同様に、メッシュパターンで配列された第２線状導電体６０を有する。図６において符号Ｐ３は、第３方向Ｍ３に直交する第３配列方向ＭＡ３に沿った第２線状導電体６０の配列ピッチを表し、符号Ｐ４は、第４方向Ｍ４に直交する第４配列方向ＭＡ４に沿った第２線状導電体６０の配列ピッチを表す。
【００４３】
第２線状導電体６０には、各第２電極５１の輪郭に対応するようにして、第２分断部５５が設けられている。したがって、第２電極５１と第２ダミー部５４との間の境界部の形状、すなわち第２電極５１の輪郭は、第２電極５１と第２ダミー部５４との間の第２分断部５５の配置に応じて画定される。図６では、第２電極５１の輪郭が、符号Ｂ２が付された一点鎖線によって示されている。アクティブエリアＡａ１内に設けられた複数の第２電極５１と複数の第２ダミー部５４とは、第２分断部５５によって、互いから分離されて絶縁されている。すなわち複数の第２電極５１及び複数の第２ダミー部５４は、アクティブエリアＡａ１の全域に広がる導電性細線である第２線状導電体６０を第２分断部５５により断線することによって区画される複数の区分にそれぞれ対応する。
【００４４】
図示された例において、メッシュパターンで配列された第２パターン導電体５０は、多数の第２開口領域６３を画成する。すなわち図６に示すように、第２線状導電体６０は、２つの第２分岐点６２の間において延在する第２接続要素６１を多数含み、これらの第２接続要素６１によって菱形の各第２開口領域６３が画成される。
【００４５】
図６に示された例において、第２パターン導電体５０は、第３方向Ｍ３に延び、第３方向Ｍ３に交差する方向へ等間隔に規則的に並べられた第２線状導電体６０と、第３方向Ｍ３に交差する第４方向Ｍ４に延び、第４方向Ｍ４に交差する方向へ等間隔に規則的に並べられた第２線状導電体６０と、を含む。本実施形態の第２開口領域６３が鋭角を持つ菱形を成すことから、第３方向Ｍ３及び第４方向Ｍ４は、直交しておらず、互いに対して傾斜する。図６に示された例では、同一形状の第２開口領域６３が、互いに同一の向きを向くようにして敷き詰められている。このように本実施形態の第２パターン導電体５０を成す第２線状導電体６０は、規則的に配列された菱形の第２開口領域６３を画成するメッシュパターンで配列されている。
【００４６】
第２線状導電体６０は、上述の第１線状導電体４０と同様の材料を用いて作られ得る。また、第２線状導電体６０の線幅は、上述の第１線状導電体４０の線幅と同様に設定することができ、第２パターン導電体５０の開口率は、上述の第１パターン導電体３０の開口率と同様に設定することができる。
【００４７】
図７は、第１パターン導電体３０及び第２パターン導電体５０の拡大平面図である。図７には第１パターン導電体３０及び第２パターン導電体５０の一部が抜粋されて図示されており、第１電極３１、第１ダミー部３４、第２電極５１、第２ダミー部５４、第１分断部３５及び第２分断部５５等の図示は省略されている。また図７において、タッチパネル基板２０のうちの一方側に設けられる第１パターン導電体３０は、他方側に設けられる第２パターン導電体５０よりも太い線で表されている。図７に示す例では、第１パターン導電体３０の第１分岐点４２と第２パターン導電体５０の第２分岐点６２とが互いに重ならないように、第１パターン導電体３０の第１接続要素４１及び第２パターン導電体５０の第２接続要素６１が配置されている。より具体的には、第１開口領域４３及び第２開口領域６３はほぼ同じ平面形状を有し、第１パターン導電体３０の各第１分岐点４２が第２パターン導電体５０の各第２開口領域６３の中央に配置され、第２パターン導電体５０の各第２分岐点６２が第１パターン導電体３０の各第１開口領域４３の中央に配置される。そのため、第１パターン導電体３０及び第２パターン導電体５０の両者の平面視に関し、各第１開口領域４３は第２パターン導電体５０の（すなわち第２接続要素６１）によって４つの菱形の開口領域に区分され、また各第２開口領域６３は第１パターン導電体３０（すなわち第１接続要素４１）によって４つの菱形の開口領域に区分される。
【００４８】
なお上述のタッチパネル基板２０（図２参照）は、一例として、次のようにして製造することができる。図３Ａ〜図３Ｂの各々に示す例では、まず、例えば樹脂フィルムからなる第１基材２６上に、後に第１パターン導電体３０を形成するようになる金属膜を積層する。この金属膜は、金属箔の転写或いは蒸着による成膜等の既知の任意の方法に基づいて形成及び積層可能である。次に、フォトリソグラフィー技術を用いたパターニングにより、金属膜から第１パターン導電体３０を形成する。また、第１基材２６上に第１配線部３８及び第１端子部３９を形成する。第１配線部３８及び第１端子部３９は、第１パターン導電体３０と同様に金属膜をパターニングすることで作製してもよいし、第１パターン導電体３０とは別途にスクリーン印刷等によって作製してもよい。以上により、第１基材２６及び第１パターン導電体３０を具備する第１タッチパネルセンサ２１が得られる。また、第１タッチパネルセンサ２１と同様にして、第２タッチパネルセンサ２２を作製する。その後、作製された第１タッチパネルセンサ２１及び第２タッチパネルセンサ２２を位置決めして貼合することにより、図３Ａ〜図３Ｂの各々に示すようなタッチパネル基板２０が得られる。一方、図４Ａ〜図４Ｃの各々に示されたタッチパネル基板２０は、基材２８の両面又は片面に金属膜を形成し、その金属膜をパターニングすることにより、得られる。
【００４９】
次に、表示装置１２の画素配列の一例について説明する。
【００５０】
図８は、表示装置１２の画素配列の典型例を示す平面図である。表示装置１２は、規則的に配置された複数の画素Ｐを有する。一般的な表示装置１２では、その表示面１２ａが成す矩形状の長辺及び短辺にそれぞれ平行な２方向（すなわち第１電極方向Ｄ１及び第２電極方向Ｄ２）へ、一定のピッチで等間隔に複数の画素Ｐが配列される。各画素Ｐは、複数のサブピクセルＲＰ、ＧＰ、ＢＰを含む。図８に示す例では、赤色光を発する赤色サブピクセルＲＰ、緑色光を発する緑色サブピクセルＧＰ及び青色光を発する青色サブピクセルＢＰが各画素Ｐに含まれる。赤色サブピクセルＲＰ、緑色サブピクセルＧＰ及び青色サブピクセルＢＰの各々は第１電極方向Ｄ１へ延在し、各画素Ｐに含まれる赤色サブピクセルＲＰ、緑色サブピクセルＧＰ及び青色サブピクセルＢＰは、第２電極方向Ｄ２へ並んで配置される。このように各サブピクセルＲＰ、ＧＰ、ＢＰは個々の発光素子を構成し、各画素Ｐは繰り返し単位を構成する複数のサブピクセルの集合によって構成される。ただし、表示装置１２が有する画素Ｐ及びサブピクセルＲＰ、ＧＰ、ＢＰの配置は図８に示す例に限定されず、また各画素Ｐに含まれるサブピクセルの種類（すなわち発光色）も赤色サブピクセルＲＰ、緑色サブピクセルＧＰ及び青色サブピクセルＢＰには限定されない。
【００５１】
＜導電性パターン及び画素の配置関係＞
上述のように、本実施形態のタッチ位置検出機能付き表示装置１０は、複数の画素Ｐを有する表示装置１２（図８参照）と、表示装置１２が有する複数の画素Ｐの少なくとも一部（図１に示す例では全部）を覆うように配置される導電性パターン（すなわち第１パターン導電体３０及び第２パターン導電体５０）を有する導電性パターン基板（すなわちタッチパネル基板２０）と、を備える。
【００５２】
本件発明者は、そのようなタッチ位置検出機能付き表示装置１０によって提供される観察画像の輝度の偏りを抑えつつ、モアレの発生を効果的に抑制するのに有効な「導電性パターン（すなわち第１パターン導電体３０及び第２パターン導電体５０）と画素Ｐ及びサブピクセルＲＰ、ＧＰ、ＢＰとの間の具体的な配置関係」を新たに見出した。以下、そのような具体的な配置関係について説明する。
【００５３】
なお、表示装置１２の画素Ｐを覆うように配置される導電性パターンには、上述のように第１パターン導電体３０及び第２パターン導電体５０が含まれる。そのため以下の説明では、第１パターン導電体３０及び第２パターン導電体５０を集合的に「導電性パターン７０」と呼ぶ。また第１パターン導電体３０は複数の第１線状導電体４０が結合して構成され、第２パターン導電体５０は複数の第２線状導電体６０が結合して構成される。そのため以下の説明では、導電性パターン７０を構成するこれらの第１線状導電体４０及び第２線状導電体６０を集合的に「導電性細線７１」と呼ぶ。したがって導電性パターン７０は、複数の導電性細線７１を含む。
【００５４】
本件発明者は、鋭意研究の結果、導電性パターン７０によって覆われる複数のサブピクセル（ＲＰ、ＧＰ、ＢＰ）のうち９５％以上のサブピクセルが、一方向へ配向された延在方向を持つ１本以上の導電性細線７１と重なるように設けられることで、画像の輝度の偏りを抑えつつ、モアレの発生を効果的に抑制するのに有効であることを新たに見出すに至った。
【００５５】
図９は、１つの画素Ｐ及び導電性パターン７０の配置関係例の概略を説明するための拡大平面図である。上述のように、本実施形態の導電性パターン７０及び導電性細線７１は、連続的に配置される菱形状パターンの開口領域（図７参照）を形成し、これらの開口領域を形成する導電性細線７１がサブピクセルの各々に重なるように配置される。
【００５６】
このように規則的に配列される「画素Ｐ及びサブピクセル」を、特定形状の開口領域を形成しながら規則的に配置される「導電性細線７１（導電性パターン７０）」によって覆う場合に、「一方向へ配向された延在方向を持つ導電性細線７１」が１本以上、各サブピクセルに重なるように配置することで、各サブピクセルの発光面積に対する導電性細線７１による被覆割合（すなわち被覆面積）を、サブピクセル（画素Ｐ）全体として見た場合に効果的に平均化することができる。これにより、タッチパネル装置１５の導電性パターン７０を介して観察される表示装置１２（すなわち各サブピクセル）からの画像の輝度の偏りが抑えられ、モアレの発生を効果的に抑制できる。
【００５７】
なおここでいう「規則的に配列される画素Ｐ及びサブピクセル」とは、画素Ｐ及びサブピクセルが単位パターンを形成し、その単位パターンが繰り返されながら連続的に配置されることで画素Ｐ及びサブピクセルの全体が構成されることを指す。また「規則的に配置される導電性細線７１（導電性パターン７０）」とは、導電性細線７１によって単位パターンが形成され、その単位パターンが繰り返されながら連続的に配置されることで導電性パターン７０の全体が構成されることを指す。そのような「画素Ｐ及びサブピクセルによって形成される単位パターン」及び「導電性細線７１によって形成される単位パターン」の具体的な構成及び配置は、特に限定されない。例えば図８及び図９に示す例では、第２電極方向Ｄ２へ並んで配置された各色（すなわち赤、緑及び青の各々）のサブピクセルＲＰ、ＧＰ、ＢＰ（すなわち合計３つのサブピクセル）によって「画素Ｐ及びサブピクセルによって形成される単位パターン」が構成されている。また図９に示す例では、菱形形状に配置された導電性細線７１によって単位パターンが形成されている。
【００５８】
本件発明者は、様々な条件下での実験及びシミュレーションを重ねることで、特に以下の条件を満たす場合に、画像輝度の低下を抑えつつ、画像輝度の偏り及びモアレ発生を効果的に抑制できることを新たに見出した。すなわち好ましくは、導電性パターン７０によって覆われる複数のサブピクセル（ＲＰ、ＧＰ、ＢＰ）のうち９５％以上のサブピクセルが、一方向へ配向された延在方向を持つ３本以下の導電性細線７１と重なるように設けられる。より好ましくは、導電性パターン７０によって覆われる複数のサブピクセル（ＲＰ、ＧＰ、ＢＰ）のうち９５％以上のサブピクセルが、一方向へ配向された延在方向を持つ３本の導電性細線７１と重なるように設けられる。
【００５９】
とりわけ、規則的に配置される画素Ｐ（すなわちサブピクセル）を覆うように規則的な形状を持つ導電性パターン７０を配置する場合に、１つのサブピクセルが３本の導電性細線７１によって覆われるように導電性パターン７０及び画素Ｐの位置及びサイズを調整すると、導電性パターン７０によって覆われる殆どのサブピクセルが３本の導電性細線７１によって覆われる傾向があることを、本件発明者は新たに見出した。
【００６０】
例えば図９に示す例において、赤色サブピクセルＲＰは３本の導電性細線７１（符号「ＬＲ１」〜「ＬＲ３」参照）によって覆われ、緑色サブピクセルＧＰは３本の導電性細線７１（符号「ＬＧ１」〜「ＬＧ３」参照）によって覆われ、青色サブピクセルＢＰは３本の導電性細線７１（符号「ＬＢ１」〜「ＬＢ３」参照）によって覆われている。そのため、各サブピクセルにおける導電性細線７１の面積的な占有率（すなわち遮蔽率）は、赤色サブピクセルＲＰ、緑色サブピクセルＧＰ及び青色サブピクセルＢＰの間で非常に近接した値となり、画素Ｐ（すなわちサブピクセル）全体としてみれば輝度が平均化され、輝度の偏り及びモアレの発生を効果的に防ぐことができる。
【００６１】
なお、実際の適用や、輝度の偏り及びモアレの発生等に関連する不具合の現実的な事情を考慮すると、サブピクセルの各々（ＲＰ、ＧＰ、ＢＰ）は、第１電極方向Ｄ１に関して１．２ミリメートル以下のサイズを有し、第１電極方向Ｄ１と垂直を成す第２電極方向Ｄ２に関して０．４ミリメートル以下のサイズを有する場合に、上述の輝度の偏りやモアレの発生を効果的に防ぐことが可能であると考えられる。
【００６２】
本件発明者は、図９に示すような配置形状を持つ画素Ｐ（サブピクセルＲＰ、ＧＰ、ＢＰ）及び導電性パターン７０を備えるタッチ位置検出機能付き表示装置１０を作製し、各画素Ｐ（すなわち各サブピクセル）からの画像の輝度の偏り及びモアレの発生状態を目視により確認した。具体的には、「ほぼ全部のサブピクセルＲＰ、ＧＰ、ＢＰ（少なくとも導電性パターン７０によって覆われる複数のサブピクセルのうちの９５％以上のサブピクセル）が３本の導電性細線７１によって覆われているタッチ位置検出機能付き表示装置１０（サンプル１）」と、「少なくとも導電性パターン７０によって覆われる複数のサブピクセルのうちの５％以上のサブピクセルが導電性細線７１によって全く覆われていない（すなわち０本の導電性細線７１によって覆われている）タッチ位置検出機能付き表示装置１０（サンプル２）」とを作製した。なお上記のサンプル１及びサンプル２において、以下の条件は共通であった。すなわち画素Ｐ間の間隔（すなわち画素ピッチ）は１．２ミリメートルであった。また複数のサブピクセルＲＰ、ＧＰ、ＢＰの各々に関する表示面１２ａの法線方向から見た平面サイズについて、各サブピクセルは、第１電極方向Ｄ１に関して０．９６ミリメートルのサイズを有し、第２電極方向Ｄ２に関して０．３２ミリメートルのサイズを有していた。また各導電性細線７１は、３μｍ以上１０μｍ以下の線幅を有していた。なお本件発明者は、各導電性細線７１の線幅が異なる様々な装置について検討したところ、視認性及び加工性の観点から各導電性細線７１がとりわけ４μｍ以上６μｍ以下の線幅を有することが望ましいという知見を得た。なお本件発明者は、各サブピクセルが第１電極方向Ｄ１に関して１．２ミリメートル以下のサイズを有し且つ第２電極方向Ｄ２に関して０．４ミリメートル以下のサイズを有し、他の条件は上述のタッチ位置検出機能付き表示装置１０と同じに設定した他のいくつかのタッチ位置検出機能付き表示装置１０も作成した。そして本件発明者は、これらの他のいくつかのタッチ位置検出機能付き表示装置１０の画像の輝度の偏り及びモアレの発生状態が、「各サブピクセルが第１電極方向Ｄ１に関して０．９６ミリメートルのサイズを有し且つ第２電極方向Ｄ２に関して０．３２ミリメートルのサイズを有するタッチ位置検出機能付き表示装置１０」とほぼ同様であることを確認した。
【００６３】
上記のサンプル１及びサンプル２に係るタッチ位置検出機能付き表示装置１０からの画像を観察した結果、上記のサンプル１では、観察画像における輝度の偏りは感じられず、またモアレの発生も視認されなかった。一方、上記のサンプル２では、観察画像において局所的に相対的に明るい箇所と相対的に暗い箇所が見られ、モアレの発生も視認された。
【００６４】
このように各サブピクセルを覆う導電性細線７１の本数を、サブピクセル間で均一化することによって、導電性細線７１による遮光割合をサブピクセル間で均一化でき、観察画像における輝度の偏りやモアレの発生を効果的に回避することができる。特に、各サブピクセルを覆う導電性細線７１の本数を３本以下に制限することによって、観察画像における輝度の偏り及びモアレの発生を回避しつつ、観察者に違和感を感じさせない程度に観察画像における輝度の低下を抑えることができる。したがって、導電性パターン７０によって覆われる複数のサブピクセルＲＰ、ＧＰ、ＢＰのうち９５％以上のサブピクセルが、１本以上３本以下の導電性細線７１と重なるように設けられることで、画像輝度の低下、画像輝度の偏り及びモアレの発生の全てを効果的に抑制した非常に高画質な画像を観察者に提供することができる。
【００６５】
なお、上述の有益な効果を観察者が体感するには、可能な限り多くのサブピクセルＲＰ、ＧＰ、ＢＰが上述の条件を満たす本数の導電性細線７１によって覆われることが好ましいが、必ずしも全てのサブピクセルが上述の条件を満たす本数の導電性細線７１によって覆われている必要はない。実際には、導電性パターン７０によって覆われる複数のサブピクセルＲＰ、ＧＰ、ＢＰのうちの９５％以上程度のサブピクセルが、上述の条件を満たす１本以上の導電性細線７１と重なるように設けられていれば、画像の観察者は上述の有益な効果を享受することが可能である。もちろん、導電性パターン７０によって覆われる複数のサブピクセルＲＰ、ＧＰ、ＢＰのうち、好ましくは９７％以上のサブピクセルが、より好ましくは９９％以上のサブピクセルが、上述の条件を満たす本数の導電性細線７１と重なるように設けられる。
【００６６】
また上述の「一方向へ配向された延在方向を持つ１本以上の導電性細線７１」は、概ねある方向に関して延在する導電性細線７１であれば足り、必ずしも直線的に延在する導電性細線７１である必要はない。例えば図１０に例示されるように、各サブピクセル（ＲＰ、ＧＰ、ＢＰ）上を滑らかな曲線（すなわち非直線）を描くように延在する１本の導電性細線７１も「一方向へ配向された延在方向を持つ１本の導電性細線７１」を構成する。また図１１に例示されるように、各サブピクセル（ＲＰ、ＧＰ、ＢＰ）上を滑らかではない曲線を描くように延在する１本の導電性細線７１も「一方向へ配向された延在方向を持つ１本の導電性細線７１」を構成する。
【００６７】
なお分断部７５（すなわち第１分断部３５及び第２分断部５５）によって途中で分断されている導電性細線７１（すなわち第１線状導電体４０及び第２線状導電体６０）については、分断部７５による分断がないものと仮定して「１本の導電性細線７１」として扱われるのが適切である。例えば図１２に例示されるように、サブピクセルを覆う導電性細線７１の一部が分断部７５によって断線されている場合、仮想線ＶＲによって結ぶことができる導電性細線７１同士は両者をまとめて「１本の導電性細線７１」としてカウントするのが適切である。したがって図１２に示す例では、赤色サブピクセルＲＰを覆う符号「ＬＲ２−１」及び「ＬＲ２−２」で表されている導電性細線７１、及び青色サブピクセルＢＰを覆う符号「ＬＢ３−１」及び「ＬＢ３−２」で表されている導電性細線７１は、それぞれ１本の導電性細線７１として扱われる。このように、分断部７５によって分断された導電性細線７１の本数は、例えば導電性細線７１によって形成される単位パターン（特に分断部７５が設けられていない単位パターン）を基準にしてカウントすることができる。
【００６８】
また各サブピクセル（ＲＰ、ＧＰ、ＢＰ）上において、複数本の導電性細線７１が合流する合流点７６が配置されてもよい。例えば図１３に示すように直線的に延在する複数の導電性細線７１（図１３の符号「Ｌ１」、「Ｌ２」及び「Ｌ３」参照）が、１つのサブピクセル（ＲＰ、ＧＰ、ＢＰ）上において合流して合流点７６を形成してもよい。また図１４に示すように、曲線的（すなわち非直線的）に延在する複数の導電性細線７１（図１４の符号「Ｌ１」、「Ｌ２」及び「Ｌ３」参照）が１つのサブピクセル（ＲＰ、ＧＰ、ＢＰ）上において合流して合流点７６を形成してもよい。また直線的な導電性細線７１と曲線的な導電性細線７１とが、１つのサブピクセル（ＲＰ、ＧＰ、ＢＰ）上において合流して合流点７６を形成してもよい。
【００６９】
図１３及び図１４の各々に示す１つのサブピクセル（ＲＰ、ＧＰ、ＢＰ）は２本の導電性細線７１によって覆われている。すなわち図１３及び図１４における符号「Ｌ１」、「Ｌ２」及び「Ｌ３」のうちのいずれか２つの符号で表される導電性細線７１（例えば「Ｌ１及びＬ２で表される導電性細線７１」、「Ｌ１及びＬ３で表される導電性細線７１」又は「Ｌ２及びＬ３で表される導電性細線７１」）が「１本の導電性細線７１」を構成し、他の１つの符号で表される導電性細線７１が、サブピクセルを貫通しない別の「１本の導電性細線７１」を構成する。
【００７０】
なお上述のサブピクセル及び導電性細線７１（導電性パターン７０）の関係は、各サブピクセルに重なる導電性細線７１の「本数」を基準にして定められている。各導電性細線７１の線幅及び各サブピクセルのサイズがほぼ一定であるという条件下で観察画像全体（すなわちサブピクセル全体）の特性を考えた場合に、「導電性細線７１による、各サブピクセルから発せられる光の遮光割合」と「各サブピクセルに重なる導電性細線７１の本数」との間にはある相関が見られる。そのため、「導電性細線７１による、各サブピクセルから発せられる光の遮光割合」を「各サブピクセルに重なる導電性細線７１の本数」に基づいて評価しても実際的には差し支えがなく、サブピクセル及び導電性細線７１（導電性パターン７０）の関係を導電性細線７１の本数を基準にして定めることは実際的に有効な手法である。
【００７１】
本発明は、上述の実施形態及び変形例に限定されるものではなく、当業者が想到しうる種々の変形が加えられた各種態様も含みうるものであり、本発明によって奏される効果も上述の事項に限定されない。したがって、本発明の技術的思想及び趣旨を逸脱しない範囲で、特許請求の範囲及び明細書に記載される各要素に対して種々の追加、変更及び部分的削除が可能である。
【００７２】
例えば、上述の実施形態では第１電極３１及び第２電極５１の各々が膨出部（すなわち第１膨出部３２及び第２膨出部５２）及び線状部（すなわち第１線状部３３及び第２線状部５３）を含むいわゆるダイヤモンドパターンを有するが、第１電極３１及び第２電極５１は他のパターン形状を有していてもよい。例えば、第１電極３１及び第２電極５１はストライプパターンを有していてもよい。この場合、例えば第１電極３１及び第１ダミー部３４の各々は、長辺方向が第１電極方向Ｄ１と一致し且つ短辺方向が第２電極方向Ｄ２と一致するようなストライプ状の平面形状を有することができる。また第２電極５１及び第２ダミー部５４の各々は、長辺方向が第２電極方向Ｄ２と一致し且つ短辺方向が第１電極方向Ｄ１と一致するようなストライプ状の平面形状を有することができる。
【００７３】
また上述の実施形態の導電性パターン７０（導電性細線７１）は、開口領域（すなわち第１開口領域４３、第２開口領域６３、及び第１接続要素４１と第２接続要素６１とによって第１開口領域４３及び第２開口領域６３が区分されることで形成される開口領域（図７参照））がそれぞれ菱形形状を有するように配置されているが、各開口領域が他の形状を形成するように配置されてもよい。例えば図５〜図７に示す例では、各開口領域が鋭角を持つ菱形形状を形成するが、４つの内角が全て等しい正方形状を各開口領域が形成するように、導電性パターン７０（導電性細線７１）が配置されてもよい。また各開口領域が長辺及び短辺を持つ矩形状を形成するように、導電性パターン７０（導電性細線７１）が配置されてもよい。
【００７４】
また上述の実施形態では、本発明に係る導電性パターン付き表示装置をタッチ位置検出機能付き表示装置１０に応用した例について説明したが、タッチパネル以外の機能を発揮することが期待された導電性パターン基板と表示装置とを備える他の装置に対しても本発明を適宜応用することが可能である。そのような導電性パターン付き表示装置の応用例として、例えば、電磁波の影響（ＥＭＩ：Ｅｌｅｃｔｒｏ−Ｍａｇｎｅｔｉｃ  Ｉｎｔｅｒｆｅｒｅｎｃｅ）を低減するための導電性パターンを有する導電性パターン基板と表示装置とが組み合わされて構成される電磁シールド付き表示装置が挙げられる。
【符号の説明】
【００７５】
１０  タッチ位置検出機能付き表示装置
１２  表示装置
１２ａ  表示面
１５  タッチパネル装置
１６ａ  長辺
１６ｂ  短辺
２０  タッチパネル基板
２１  第１タッチパネルセンサ
２２  第２タッチパネルセンサ
２３  タッチパネルセンサ
２４  透明カバー
２６  第１基材
２７  第２基材
２８  基材
３０  第１パターン導電体
３１  第１電極
３２  第１膨出部
３３  第１線状部
３４  第１ダミー部
３５  第１分断部
３８  第１配線部
３９  第１端子部
４０  第１線状導電体
４１  第１接続要素
４２  第１分岐点
４３  第１開口領域
５０  第２パターン導電体
５１  第２電極
５２  第２膨出部
５３  第２線状部
５４  第２ダミー部
５５  第２分断部
５８  第２配線部
５９  第２端子部
６０  第２線状導電体
６１  第２接続要素
６２  第２分岐点
６３  第２開口領域
７０  導電性パターン
７１  導電性細線
７５  分断部
７６  合流点
Ａ１  表示領域
Ａ２  非表示領域
Ａａ１  アクティブエリア
Ａａ２  非アクティブエリア
Ｄ１  第１電極方向
Ｄ２  第２電極方向
Ｐ  画素
ＲＰ  赤色サブピクセル
ＧＰ  緑色サブピクセル
ＢＰ  青色サブピクセル
ＶＲ  仮想線
【図１】
2019008539.tif 000003
【図２】
2019008539.tif 000004
【図３Ａ】
2019008539.tif 000005
【図３Ｂ】
2019008539.tif 000006
【図４Ａ】
2019008539.tif 000007
【図４Ｂ】
2019008539.tif 000008
【図４Ｃ】
2019008539.tif 000009
【図５】
2019008539.tif 000010
【図６】
2019008539.tif 000011
【図７】
2019008539.tif 000012
【図８】
2019008539.tif 000013
【図９】
2019008539.tif 000014
【図１０】
2019008539.tif 000015
【図１１】
2019008539.tif 000016
【図１２】
2019008539.tif 000017
【図１３】
2019008539.tif 000018
【図１４】
2019008539.tif 000019